(57)【要約】      （修正有）【課題】昇降機の情報を開示するシステム及び方法の提供。【解決手段】昇降機情報保守端末１、昇降機管理銘板及び昇降機情報開示シール発行用プリンター２、昇降機検査表入力端末３、昇降機情報管理用サーバ４、昇降機情報開示用サーバ５、昇降機管理番号を埋め込み二次元バーコード付昇降機管理銘板又は昇降機情報開示シール６、二次元バーコードリーダ付情報閲覧用携帯電話７を少なくとも有する昇降機情報開示システム、及び、このシステムを使った昇降機情報開示方法を提供する。【選択図】図１
2008087957.tif 000002
【特許請求の範囲】
【請求項１】
昇降機管理銘板及び昇降機情報開示シールを対象昇降機内及び昇降口周辺の昇降機利用者が見やすい場所に貼り付け、当該昇降機の開示情報閲覧に２次元バーコード読み取り機能付き携帯電話を利用する昇降機情報開示システム。
【請求項２】
上記請求項１の２次元バーコード読み取り機能付き携帯電話内に表示される昇降機情報内の昇降機管理番号埋め込みメールアドレスリンク及び昇降機管理番号埋め込みウェブフォームによる昇降機利用者から保守会社への連絡方法
【請求項３】
上記請求項１の昇降機管理番号埋め込み二次元バーコード入り昇降機管理銘板
【請求項４】
上記請求項１の昇降機管理番号埋め込み二次元バーコード入り昇降機情報開示シール
【発明の詳細な説明】
【発明の詳細な説明】
【技術分野】
【０００１】本発明は、昇降機の情報を開示するシステム及び方法に関する。
【背景技術】
【０００２】多くの人が利用している昇降機等の安全性については建築基準法第１２条第３項に基づき現状を的確に把握し、事故や災害の発生を未然に防止しようとするものです。
この目的を達成するために、所有者又は管理者は、昇降機等を毎年定期的に国土交通大臣の定める昇降機検査資格者等の検査を受けて、その結果を所管の特定行政庁に報告を行わなければなりません。【０００３】定期検査報告済みの昇降機には定期検査報告済証（ステッカー）を所定位置に提示することにより利用者は定期検査報告済みか確認することができる。
【発明の開示】
【発明が解決しようとする課題】
【０００４】しかし、前述の技術は、年１回の定期検査報告済みか確認できるものであり、日ごろの検査状況と内容について開示閲覧出来る訳ではない。【０００５】昇降機利用者が昇降機利用中に気づいた微細な異常や要望意見を気軽に昇降機保守会社に伝える手段がない。
【課題を解決するための手段】
【０００６】前記課題を解決するために、本発明の昇降機情報開示システムの請求項１に記載の発明は、昇降機情報保守端末、昇降機管理銘板及び昇降機情報開示シール発行用プリンター、昇降機検査表入力端末、昇降機情報管理用サーバ、昇降機情報開示用サーバ、昇降機管理番号を埋め込み二次元バーコード付昇降機管理銘板又は情報開示シール、二次元バーコードリーダ付情報閲覧用携帯電話を少なくとも有する昇降機点検情報開示システムであることを特徴とするものである。【０００７】また、請求項２に記載の発明は、請求項１に記載の発明において、２次元バーコード読み取り機能付き携帯電話内に表示される昇降機情報内の昇降機管理番号埋め込みメールアドレスリンクを利用した電子メール及び昇降機管理番号埋め込みウェブフォームによる昇降機利用者から管理者又は保守会社への連絡方法を特徴とするものである。【０００８】また、請求項３に記載の発明は、個々の昇降機に割り振られた昇降機管理番号埋め込み二次元バーコード入り昇降機管理銘板であることを特徴とするものである。【０００９】また、請求項４に記載の発明は、個々の昇降機に割り振られた昇降機管理番号埋め込み二次元バーコード入り昇降機情報開示シールであることを特徴とするものである。
【発明の効果】
【００１０】本発明により、
１）昇降機利用者は、利用する昇降機が点検検査を、いつどの様に行ったかを検査結果と処置の詳細を閲覧することが可能となる。
２）昇降機利用者に昇降機情報を開示することによって、安心と安全を提供して昇降機を利用してもらうことができる。
３）昇降機管理者は昇降機毎に昇降機利用者からの異常報告、要望等をメールで受け取ることにより日々の昇降機運行状況を直接把握することが可能となる。
【発明を実施するための最良の形態】
【００１１】以下図面を参照して、本発明の好適な一実施形態である昇降機情報開示システム及び方法について説明する。
図１は、本発明の好適な一実施形態である昇降機情報開示システムについて説明するための模式図【００１２】図１を参照して本発明の好適な一実施形態である昇降機情報開示システムについて説明する。
以下の説明では、昇降機情報開示シールの例を中心に説明する。
まず、昇降機管理者は、管理昇降機の機種情報を昇降機情報保守端末１より登録、昇降機情報管理用サーバ４に記録される。【００１３】昇降機管理者は、昇降機管理銘板及び昇降機情報開示シール発行用プリンター２により図３の昇降機情報開示シールの印刷を行い、昇降機情報開示シールを対象昇降機内及び昇降口周辺の昇降機利用者が見やすい場所に貼り付ける。【００１４】昇降機管理者又は保守担当者は昇降機の検査保守を行った場合、検査結果および保守内容を昇降機検査表入力端末３より登録、昇降機情報管理用サーバ４に記録される。【００１５】昇降機情報管理用サーバ４に記録された情報は決められた時期に昇降機情報開示用サーバ５に送られる。【００１６】昇降機利用者は昇降機情報開示シール６上の２次元バーコードを２次元バーコード読み取り機能付き携帯電話７で撮影することにより図３の画面遷移図のように昇降機情報を閲覧することができる。【００１７】昇降機利用者は図３の画面遷移図上のお問合せ（メールリンク）を選択することにより昇降機管理者に昇降機管理番号を付加したメールを送信することができる。【００１８】図２を参照して管理番号埋め込み二次元バーコート付昇降機情報開示シールの１例について説明する。
図２に示す二次元コードは、２０００年６月にＩＳＯ／ＩＥＣ１８００４として、ＩＳＯ（国際標準機構）の規格として制定されたＱＲ（Ｑｕｉｃｋ  Ｒｅｓｐｏｎｓｅ）コード（デンソー登録商標）である。二次元コードには、スタック型とマトリクス型があり、スタック型の二次元コードとしては、ＰＤＦ４１７，コード４９，コード１６Ｋ，コーダブロックなどがあり、マトリクス型の二次元コードとしては、前記ＱＲコード，データコード，マキシコード，ＣＰコードなどがある。
前記スタック型の二次元コードは、読取り方向に制限があるが、マトリクス型は読取り方向に制限が無い。
本実施の形態ではＱＲコードを使用しているが、何れのコードを使用してもよい。
【産業上の利用可能性】
【００１９】昇降機の安全管理に利用できる。
【図面の簡単な説明】
【００２０】
【図１】本発明の好適な一実施形態である昇降機の情報開示システムについて説明するための模式図である。
【図２】昇降機情報開示シールの１例について説明するための模式図である。
【図３】昇降機管理情報閲覧の１例について説明するための画面遷移図である
【符号の説明】
【００２１】１  昇降機情報保守端末
２  昇降機管理銘版及び情報開示シール発行用プリンター
３  昇降機検査表入力端末
４  昇降機情報管理用サーバ
５  昇降機情報開示用サーバ
６  管理番号埋め込み二次元バーコード付昇降機管理銘板
７  二次元バーコードリーダ付情報閲覧用携帯電話
【図１】
2008087957.tif 000003
【図２】
2008087957.tif 000004
【図３】
2008087957.tif 000005